(57)【特許請求の範囲】
【請求項１】
建物の屋上またはベランダ部における防水層上に水拡散性のある導水シートを敷設し、該導水シートの一部を前記屋上またはベランダ部に設けた給水部に連通させた屋上またはベランダを湿潤するシステムであって、
前記導水シート上に、植物が植設されたポットを設け、
前記ポットはその底面に開口を有し、
前記ポットの底面に、織布や綿布等の揚水材を敷き、この揚水材を介して前記導水シートから前記ポット内の土への給水を行えるようにしたことを特徴とする屋上またはベランダを湿潤するシステム。
【発明の詳細な説明】
【０００１】
【発明の属する技術分野】
本発明は、建物の屋上またはベランダ部を湿潤状態に保つためのシステムに関する。
【０００２】
【従来の技術】
ビルディングなどの陸屋根形式の建物の屋上は、押えコンクリートなどによる仕上げが通常の形態であるため、日射により表面が高温となり、建物内部への熱の貫入によって特に夏季などでは空調負荷を増す原因となる。また大都市部などにおいては、日射によって蓄熱された多数の屋上部から熱が放出されることにより、ヒートアイランド現象を引き起す原因となる。
【０００３】
この対策の一つとして、例えば、特開平８−１３１７７２９号公報に開示されるように、屋上面に十分な防水対策を施した上で土壌を盛土し、土壌に植生を施すことが行われている。
【０００４】
【発明が解決しようとする課題】
しかしながら、この方法では、盛土される土壌は植生の根張りに必要な厚みに施工しなければならないため、重量が嵩み、屋上面における天版コンクリートの耐圧荷重などに問題を生ずるほか、降雨などによる土壌の含水や、土壌の逸失などに対する排水管理上の問題があり、維持費が高いものとなっていた。
【０００５】
本発明は、以上の課題を解決するものであって、その目的は、湿潤に保つために土壌を必要とすることなく軽量に出来、屋上面を定常的な湿潤状態に保ち、その蒸発潜熱により屋上面の温度上昇を抑制できるようにした屋上湿潤システムを提供するものである。
【０００６】
【課題を解決するための手段】
前記目的を達成するため、請求項１に記載された発明は、建物の屋上またはベランダ部における防水層上に水拡散性のある導水シートを敷設し、該導水シートの一部を前記屋上またはベランダ部に設けた給水部に連通させた屋上またはベランダを湿潤するシステムであって、
前記導水シート上に、植物が植設されたポットを設け、
前記ポットはその底面に開口を有し、前記ポット内の土が前記開口を介して前記導水シートと接触できるように構成されており、
前記ポットの底面に、織布や綿布等の揚水材を敷き、この揚水材を介して前記導水シートから前記ポット内の土への給水を行えるようにしたことを特徴とする。
【００１３】
また、植物が導水シートから供給される水をその根から吸い上げて、葉部などから蒸散させることにより湿潤機能を維持しつつ、屋上緑化もおこなうことができる。このため、従来の植生土壌を盛土する場合に比べて軽量であって、管理も容易である。また、植物が植栽されたポットを用いた場合、ポットは移動が容易であり、また、形状・寸法の選択の幅も広いので、高い自由度のデザインで屋上・ベランダの緑化を図ることができる。
【００１４】
【発明の実施の形態】
以下、本発明の参考例及び好ましい実施の形態につき、添付図面を参照して詳細に説明する。図１、２は本発明の参考例を適用した屋上部１を示すもので、両側にバラペット２ａを一体に立設した天版コンクリート２の上面には、防水層３および断熱層４を介して押えコンクリート（またはアスファルトコンクリート）５が打設されており、これによって屋上部１に防水性を与えている。また、屋上部１の片隅において、押えコンクリート５には溝５ａが切られ、この溝５ａ内に給水パイプ６が配管されている。
【００１５】
押えコンクリート５の上面は、水拡散性のある導水シート７（例えば織布や不織布）によって全面を覆われており、かつこの導水シート７の一端縁は図３に示すように、前記溝５ａ内に垂下されている。また、導水シート７の上面には図２、３に示すように、揚水性ブロック８が一面に敷詰められている。この揚水性ブロック８は、例えばタイルの粉砕物を焼結すること等により形成されたものであり、その上下面間を貫通する、毛細管現象が生ずるような微細な連続空隙を無数に含んでいる。
【００１６】
なお、導水シート７或は揚水性ブロック８には図示しない水分センサなどが配置され、このセンサの検出出力に応じて給水パイプ６に対する水源の開閉を行える制御機能などを設けてもよい。
【００１７】
例えば、降雨時などにおける過剰な湿潤状態ではセンサがこの状態を検出し、この結果、給水パイプ６に対する水源の弁は閉じられ、揚水性ブロック８を通じて導水シート７内に浸透した過剰の雨水の一部は溝５ａを通じて排水側に排水される。
【００１８】
また、日照りなどによって揚水性ブロック８または導水シート７が乾燥してきた場合には、同じくこの乾燥状態の検出により、給水パイプ６に対する水源の弁を開けることにより、水が導水シート７の繊維内に吸収され、揚水性ブロック８を通じて表面に放出し、表面を湿潤状態に保持すると同時に、その蒸発潜熱により屋上部の過度な温度上昇を抑制する。
【００１９】
なお、排水に関しては、別に排水溝および排水管などを配管して、雨水の排水を行うようにしても良い。
【００２０】
また、給水パイプ６は、図４に示すように、押えコンクリート５上に配置し、その表面をカバー１０で覆い、給水パイプ６を保護する構造も可能である。なお、この場合には、カバー１０を、導水シート７内を移動する水の動きを阻害しないような形状に構成する。
【００２１】
図５は、本発明の第二参考例を示すものである。なお、前記第一参考例と同一箇所には同一符号を付してその説明を省略し、異なる箇所にのみ異なる符号を用いて説明する。
【００２２】
本参考例では、前記揚水性ブロック８に替えて有孔シート２０を導水シート７の表面に敷設したもので、導水シート７の押えと、踏み圧による局部荷重抑制効果を得るようにしたものである。そして、有孔シート２０に形成された孔２０ａから水分が蒸散することで、前記と同様に屋上部１の温度上昇抑制効果を得ることができる。本参考例では、前記第一参考例に比べてさらに軽量化が可能となる。
【００２３】
図６は、本発明の第三参考例を示すものである。本参考例は、前記参考例における揚水性ブロック８に替えて植物の根張り可能な厚み、硬度に設定された植物用ブロック３０を（ａ）に示すように、導水シート７上に敷詰め、これに適宜間隔で植物３１の種子または苗を植設したものであり、経時により植物３１は成長し、同図（ｂ）に示すように植物用ブロック３０内に根張りすることで、屋上緑化を図るようにしている。
【００２４】
これに用いられる植物用ブロック３０は、例えば、通常園芸などで使用されるある程度の保水、保肥機能を備えた軽量かつ連続空隙を有するブロックであり、植生土壌と同様に根の成長を妨げない特性を備えている。なお、前記給水パイプ６からは水のみでなく、水に溶解させた肥料分なども供給することが望ましい。
【００２５】
図７は、本発明の実施形態を示すものである。本実施形態では、導水シート７の上に、植物４０が植設されたポット４２を載置すると共に、ポット４２間にブロック材４４を配置し、屋上の一部に歩道４６を構成している。ポット４２の底面には開口が設けられ、ポット４２内の土が、底面開口を介して導水シート７と直接接触できる構成となっている。ポット４２は、プラスチック製ポットのような非揚水性ポットであり、その底面にポリエステル製織布や綿布等の揚水材を敷き、導水シート７からポット４２内の土への給水が確実に行えるようになっている。
【００２６】
図８は、図７に示す構成の変形例を示すものである。図８では、寸法の異なるポット４２およびブロック材４４を適宜に組合わせ、全体として立体的なデザインを構成している。
【００２７】
ポット４２は移動させることが容易であり、また、形状・寸法の選択の幅も広いので、このようなポット４２に植物を植設して配置することにより、図７および図８に示すように、高い自由度のデザインで屋上緑化を図ることができる。
【００２８】
以上の第三参考例及び実施形態においては、植物３１、４０の葉から水分が蒸散するので、前記と同様の屋上部の冷却効果を得ると同時に、光合成による空気浄化なども図れるほか、植生による保養効果なども得ることが出来る。
【００２９】
さらに、屋上部全体を緑化することなく、第一、第二参考例の材料と組合わせることにより、屋上部１を緑化空間と遊歩道、広場などの多彩な空間に形成することができることも勿論である。
【００３０】
なお、屋上緑化を目的とする場合には、導水シート７上に軽量土壌や軽量土壌を内包するパレット状部材を設置するようにしてもよい。
【００３１】
また、上記各参考例及び実施形態では屋上部を湿潤する場合について説明したが、本発明はこれに限定されるものではなく、ベランダ部にも適用が可能である。
【００３２】
【発明の効果】
以上の説明により明らかなように、本発明による屋上またはベランダを湿潤するシステムによれば、湿潤を保つために土壌を必要とすることなく軽量に出来、屋上面またはベランダ床面を定常的な湿潤状態に保ち、その蒸発潜熱により屋上またはベランダ部の温度上昇を抑制できる。
【００３３】
また、導水シート上に植物を植設したポットを設置することにより、湿潤機能を維持しつつ屋上やベランダの緑化を図ることもできる。特に、ポットを用いた場合には、ポットは移動が容易であり、また、形状・寸法の選択の幅も広いので、高い自由度のデザインで屋上・ベランダの緑化を図ることができる。
【図面の簡単な説明】
【図１】本発明の参考例による屋上部の全体を示す断面説明図である。
【図２】図１のＡ部拡大断面図である。
【図３】図１のＢ部拡大断面図である。
【図４】給水管の変形例を示す部分拡大断面図である。
【図５】本発明の第二参考例を示す部分拡大断面図である。
【図６】本発明の第三参考例を示す部分拡大断面図である。
【図７】本発明の実施形態を示す概略構成図である。
【図８】図７の変形例を示す概略構成図である。
【符号の説明】
１  屋上部
２  天版コンクリート
３  防水層
４  断熱層
５  押えコンクリート
６  給水管
７  導水シート
８  揚水性ブロック
１０  カバー
２０  有孔シート
３０  植物用ブロック
３１、４０  植物
４２  ポット
【図１】
0004830208.tif 000002
【図２】
0004830208.tif 000003
【図３】
0004830208.tif 000004
【図４】
0004830208.tif 000005
【図５】
0004830208.tif 000006
【図６】
0004830208.tif 000007
【図７】
0004830208.tif 000008
【図８】
0004830208.tif 000009